(57)【要約】【課題】電源周波数を検出する回路にトランスが必要で電灯線通信装置を小形化できないという問題点を有していた。【解決手段】直列に接続されたコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段を備え、前記コンデンサに、直列に接続した第１の抵抗とスイッチ手段を並列接続して前記電灯線の電源周波数を判定する電源周波数判定回路。【選択図】  図１
2005020353.tif 000002
【特許請求の範囲】
【請求項１】
直列に接続されたコンデンサと送受信トランスを高調波搬送信号を伴う電灯線に接続し、かつ前記送受信トランスの受信側で高調波成分を取り出すようにした高調波搬送信号の周波数成分を通過させる結合回路手段を備え、前記コンデンサに、直列に接続した第１の抵抗とスイッチ手段を並列接続して前記電灯線の電源周波数を判定してなる電源周波数判定回路。
【請求項２】
直列に接続された第２の抵抗とコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段を備え、前記コンデンサに、直列に接続した第１の抵抗とスイッチ手段を並列接続して前記電灯線の電源周波数を判定してなる電源周波数判定回路。
【請求項３】
第２の抵抗およびコンデンサの直列接続回路による共振周波数が可聴帯域となるように前記第２の抵抗の抵抗値および前記コンデンサの容量を選定してなる請求項２記載の電源周波数判定回路。
【請求項４】
スイッチ手段は、リレーまたはフォトカプラで構成する請求項１から３のいずれかに記載の電源周波数判定回路。
【請求項５】
電源周波数を判定するときのみＯＮにするスイッチ手段をスイッチ切替手段で構成してなる請求項１から４のいずれかに記載の電源周波数判定回路。
【請求項６】
高調波搬送信号を伴う電灯線に接続し、前記高調波搬送信号の周波数成分を通過させる結合回路手段と、前記電灯線の電源周波数を判定する電源周波数判定回路を備えた電灯線通信装置。
【請求項７】
直列に接続されたコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段と、前記コンデンサに、直列に接続した第１の抵抗とスイッチ手段を並列接続した前記電灯線の電源周波数を判定する電源周波数判定回路を備えた電灯線通信装置。
【請求項８】
直列に接続された第２の抵抗とコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段と、前記コンデンサに、直列に接続した第１の抵抗とスイッチ手段を並列接続して前記電灯線の電源周波数を判定する電源周波数判定回路を備えた電灯線通信装置。
【請求項９】
第２の抵抗およびコンデンサの直列接続回路による共振周波数が可聴帯域となるように前記第２の抵抗の抵抗値および前記コンデンサの容量を選定してなる請求項８記載の電灯線通信装置。
【請求項１０】
スイッチ手段は、リレーまたはフォトカプラで構成する請求項７から９のいずれかに記載の電灯線通信装置。
【請求項１１】
電源周波数を判定するときのみＯＮにするスイッチ手段をスイッチ切替手段で構成した請求項７から１０のいずれかに記載の電灯線通信装置。
【発明の詳細な説明】
【０００１】
【発明の属する技術分野】
本発明は電灯線を用いて通信を行う電源周波数判定機能を有する電灯線通信装置に関する。
【０００２】
【従来の技術】
従来、電源周波数を用いた通信装置では、トランスを用いて電源周波数を検出する回路を備えていた（例えば、特許文献１参照）。
【０００３】
図３は従来の電灯線通信装置のブロック図である。図３において、１は電灯線１５の電源周波数を判定するために電圧を計測するトランスで、２はトランス１からの信号の不要なノイズを除去するバンドパスフィルタで、３はバンドパスフィルタ２の出力を入力し、電源周波数に同期した方形波を出力するコンパレータである。７は電灯線通信の送受信を制御するＣＰＵで、コンパレータ３の電源周波数に同期した方形波の出力が入力され、送受信の制御に用いられる。
【０００４】
４は電灯線１５の高調波搬送信号の周波数成分を通過させる結合回路で、コンデンサ９、送受信トランス１０等を備えている。５はＣＰＵ７の出力信号を電灯線１５に送信する送信部で、その出力は結合回路４に入力され電灯線１５に高調波搬送信号を出力し通信の送信が行われる。６は結合回路４を介して電灯線１５の高調波搬送信号を入力して受信する受信部で、その出力はＣＰＵ７に入力されて通信の受信が行われる。
【０００５】
このような従来の構成では、電源周波数を検出する回路にトランスが必要で装置を小形化できないという問題点を有していた。
【０００６】
【特許文献１】
特開平８−１８４８４号公報
【０００７】
【発明が解決しようとする課題】
上記従来の技術の問題点に鑑み、本発明が解決しようとする課題は、装置の小形化を図った電源周波数判定回路とそれを用いた電灯線通信装置を提供することにある。
【０００８】
【課題を解決するための手段】
上記課題を解決するため、請求項１記載の本発明は、直列に接続されたコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段を備え、前記コンデンサに、直列に接続した第１の抵抗とスイッチ手段を並列接続して前記電灯線の電源周波数を判定する電源周波数判定回路である。
【０００９】
請求項２記載の本発明は、直列に接続された第２の抵抗とコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段を備え、前記コンデンサに、直列に接続した第１の抵抗とスイッチ手段を並列接続して前記電灯線の電源周波数を判定する電源周波数判定回路である。
【００１０】
請求項３記載の本発明は、請求項２記載において、第２の抵抗およびコンデンサの直列接続回路による共振周波数が可聴帯域となるように前記第２の抵抗の抵抗値および前記コンデンサの容量を選定した電源周波数判定回路である。
【００１１】
請求項４記載の本発明は、請求項１から３のいずれかの記載において、スイッチ手段は、リレーまたはフォトカプラで構成した電源周波数判定回路である。
【００１２】
請求項５記載の本発明は、請求項１から４のいずれかの記載において、電源周波数を判定するときのみＯＮにするスイッチ手段をスイッチ切替手段で構成した電源周波数判定回路である。
【００１３】
請求項６記載の本発明は、高調波搬送信号を伴う電灯線に接続し前記高調波搬送信号の周波数成分を通過させる結合回路手段と、前記電灯線の電源周波数を判定する電源周波数判定回路を備えた電灯線通信装置である。
【００１４】
請求項７記載の本発明は、直列に接続されたコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段と、前記コンデンサに、直列に接続した第１の抵抗とスイッチ手段を並列接続して前記電灯線の電源周波数を判定する電源周波数判定回路を備えた電灯線通信装置である。
【００１５】
請求項８記載の本発明は、直列に接続された第２の抵抗とコンデンサと送受信トランスを高調波搬送信号を伴う電灯線に接続し、かつ前記送受信トランスの受信側で高調波成分を取り出すようにした前記高調波搬送信号の周波数成分を通過させる結合回路手段と、前記コンデンサに、直列に接続した第１の抵抗とスイッチ手段を並列接続して前記電灯線の電源周波数を判定する電源周波数判定回路を備えた電灯線通信装置である。
【００１６】
請求項９記載の本発明は、請求項８記載において、第２の抵抗およびコンデンサの直列接続回路による共振周波数が可聴帯域となるように前記第２の抵抗の抵抗値および前記コンデンサの容量を選定した電灯線通信装置である。
【００１７】
請求項１０記載の本発明は、請求項７から９のいずれかに記載の電源周波数判定回路のスイッチ手段として、リレーまたはフォトカプラで構成した電灯線通信装置である。
【００１８】
請求項１１記載の本発明は、請求項７から１０のいずれかに記載の電源周波数判定回路で、電源周波数を判定するときのみＯＮにするスイッチ手段をスイッチ切替手段で構成した電灯線通信装置である。
【００１９】
【発明の実施の形態】
本発明の課題は各請求項に記載した構成を実施の形態の要部とすることにより達成できるので、以下には請求項１ないし１１に対応する一実施例についての詳細を図１、図２を参照して説明し、併せて効果を述べて本発明の実施の形態についての説明とする。
【００２０】
（実施の形態１）
図１は、本発明の実施の形態１における電源周波数判定回路を有する電灯線通信装置のブロック図である。
【００２１】
図１において、８は電灯線１５の高調波搬送信号の周波数成分を通過させる結合回路手段で、電灯線１５の電源周波数を判定する電源周波数判定回路が組み込まれている。すなわち、結合回路手段８は直列に接続されたコンデンサ９と送受信トランス１０を有し、コンデンサ９が高調波搬送信号を伴う電灯線１５に接続されて送受信トランス１０の受信側で高調波成分を取り出すように構成され、さらに直列に接続した第１の抵抗１１とスイッチ手段１３を、高調波搬送信号の周波数成分を通過させる結合回路手段８のコンデンサ９に並列接続し、電源周波数を判定するときのみスイッチ手段１３をＯＮすれば電灯線１５の電源周波数を判定できる電源周波数判定回路を有している。スイッチ手段１３は、機械的なスイッチまたは電気的なスイッチでもよく、例えばリレー、フォトカプラ等で、スイッチ切替の手段で構成してもよい。
【００２２】
７は電灯線通信の送受信を制御するＣＰＵ、５はＣＰＵ７の出力信号を電灯線１５に送信する送信部で、その出力は結合回路８に入力され電灯線１５に高調波搬送信号を出力して通信の送信が行われる。６は結合回路８を介して電灯線１５の高調波搬送信号を入力して受信する受信部で、その出力はＣＰＵ７に入力されて通信の受信が行われる。
【００２３】
上記実施の形態において、通信の受信は結合回路８を介して受信した受信部６の出力がＣＰＵ７に入力されて行われ、また通信の送信はＣＰＵ７の出力信号が入力された送信部５より結合回路８を介して電灯線１５に高調波搬送信号を出力して行われる。そして、電源周波数を判定するときのみスイッチ手段１３をＯＮすれば電灯線１５の電源周波数を電源周波数判定回路が判定することができる。
従って、少ない部品で電源周波数判定回路を構成することができるので、電灯線通信装置を小形化できる。
【００２４】
（実施の形態２）
図２は、本発明の実施の形態２における電源周波数判定回路を有する電灯線通信装置のブロック図である。本実施の形態は、通信性能の劣化を防ぐため送受信トランスとコンデンサの間に、第２の抵抗を接続した点において実施の形態１の発明と異なり、それ以外の同一構成並びに作用効果を奏するところには同一符号を付して詳細な説明を省略し、異なるところを中心に説明する。
【００２５】
図２において、結合回路手段１４は、送受信トランス１０とコンデンサ９の間に、第２の抵抗１２を接続している。そして、通信に影響がない周波数に共振周波数を設定するため、第２の抵抗１２およびコンデンサ９の直列接続回路による共振周波数が可聴帯域となるように第２の抵抗１２の抵抗値およびコンデンサ９の容量を選定している。
【００２６】
上記実施の形態において、通信の送受信および電源周波数の判定は実施の形態１で説明したように行われる。そして、送受信トランス１０とコンデンサ９の間に接続した第２の抵抗１２およびコンデンサ９の直列接続回路による共振周波数が可聴帯域となるように第２の抵抗１２の抵抗値とコンデンサ９の容量を選定しているので、発振して通信に影響がない周波数に共振周波数が設定され、通信性能の劣化を防止することができる。
【００２７】
【発明の効果】
以上説明したところから明らかなように、本発明によれば、電源周波数を検出する回路を少ない部品で構成でき、装置を小形化できる。また、共振周波数を可聴帯域とすることにより通信性能の劣化を防止できる。
【図面の簡単な説明】
【図１】本発明の実施の形態１における電灯線通信装置のブロック図
【図２】本発明の実施の形態２における電灯線通信装置のブロック図
【図３】従来の電灯線通信装置のブロック図
【符号の説明】
８、１４  結合回路手段
９  コンデンサ
１０  送受信トランス
１１  第１の抵抗
１２  第２の抵抗
１３  スイッチ手段
１５  電灯線
【図１】
2005020353.tif 000003
【図２】
2005020353.tif 000004
【図３】
2005020353.tif 000005